(57)【要約】【課題】断熱機能を有すると共に、簡易に組み付けすることができる、断熱水槽止水部材、この断熱水槽止水部材を用いた断熱水槽、及び、断熱水槽止水構造を提供する。【解決手段】断熱水槽止水部材３０は、止水部３２及び断熱部３４を備えている。断熱部３４は、止水部３２と一体的に形成されており、止水部３２のＬ字の屈曲部分を挟んで止水部３２と逆側に配置されている。断熱部３４は、第１シール面部３２Ａから延出して形成されている第１内壁沿部３４Ａと、第２シール面部３２Ｂから延出して形成されている第２内壁沿部３４Ｂ、及び、第１内壁沿部３４Ａと第２面部３２Ｂを連結する外周部３２Ｃを有している。第１内壁沿部３４Ａ、第２内壁沿部３４Ｂ、及び、外周部３４Ｃに囲まれた内側には、中空角空間３４Ｒが構成されている。【選択図】図４
2012025423.tif 000002
【特許請求の範囲】
【請求項１】
互いの面が角度を持つように配置され、互いのパネル角辺部が突き合わせられて水槽の角部を構成する一対のパネル部材と、前記水槽の外側で前記一対のパネルの角辺部に沿って配置され、前記一対のパネル同士の間の継ぎ目を覆う角部補強部材と、の間に前記継ぎ目を跨ぐように配置された止水部と、
前記止水部と一体的に構成され、前記止水部から前記継ぎ目を介して水槽内に延出されて水槽内の角部に配置され前記継ぎ目から前記水槽内の水を離間させる断熱部と、
を備えた断熱水槽止水部材。
【請求項２】
前記断熱部は、前記一対のパネル部材の各々の内壁に沿った内壁沿部と、該内壁沿部と連続されて前記内壁沿部との間に中空角空間を構成する外周部を含んで構成されていること、を特徴とする請求項１に記載の断熱水槽止水部材。
【請求項３】
前記断熱部は、前記角部を占める中実部材で一体的に構成されていること、を特徴とする請求項１に記載の断熱水槽止水部材。
【請求項４】
請求項１〜３のいずれか１項に記載の断熱水槽止水部材により角部が止水された、断熱水槽。
【請求項５】
互いの面が角度を持つように配置され、互いのパネル角辺部が突き合わせられて水槽の角部を構成する一対のパネル部材と、
前記水槽の外側で前記一対のパネルの角辺部に沿って配置され、前記一対のパネル同士の間の継ぎ目を覆う角部補強部材と、
前記継ぎ目を跨ぐように配置されて前記角部補強部材と前記一対のパネルの間に挟持された止水部と、前記止水部と一体的に構成され、前記水槽内に延出されて水槽内の角部を占めて前記継ぎ目から前記水槽内の水を離間させる断熱部と、を有する止水部材と、
を備えた断熱水槽止水構造。
【発明の詳細な説明】
【技術分野】
【０００１】
本発明は、断熱水槽止水部材、断熱水槽構造、及び、断熱水槽に関する。
【背景技術】
【０００２】
従来より、貯水用に複数のパネル部材を接合して形成されるパネル水槽が知られている（特許文献１参照）。このパネル水槽に断熱、保温機能を付加して、水槽内に湯を貯留する断熱水槽が提案されている。
【０００３】
断熱水槽は、内部に貯留されている湯の温度が低下しないように、様々な工夫がなされている。例えば、特許文献１では、水槽のコーナー部分（角部）に、断熱部材を配置して、継ぎ目部分からの放熱を抑制している。
【０００４】
このように、水槽の角部に断熱部材を配置することで、水槽の断熱性を向上させることができるが、断熱部材と止水パッキンの２部材を配設しなければならず、組み付けに手間がかかってしまうという問題がある。
【先行技術文献】
【特許文献】
【０００５】
【特許文献１】実開平０３−９３４９６号公報
【発明の概要】
【発明が解決しようとする課題】
【０００６】
本発明は、上記事実を考慮してなされたものであり、断熱機能を有すると共に、簡易に組み付けすることができる、断熱水槽止水部材、この断熱水槽止水部材を用いた断熱水槽、及び、断熱水槽止水構造を提供することを目的とする。
【課題を解決するための手段】
【０００７】
請求項１に記載する本発明の断熱水槽止水部材は、互いの面が角度を持つように配置され、互いのパネル角辺部が突き合わせられて水槽の角部を構成する一対のパネル部材と、前記水槽の外側で前記一対のパネルの角辺部に沿って配置され、前記一対のパネル同士の間の継ぎ目を覆う角部補強部材と、の間に前記継ぎ目を跨ぐように配置された止水部と、前記止水部と一体的に構成され、前記止水部から前記継ぎ目を介して前記水槽内に延出されて水槽内の角部に配置され前記継ぎ目から前記水槽内の水を離間させる断熱部と、を備えている。
【０００８】
本発明の断熱水槽止水部材は、止水部が一対のパネルと角部補強部材との間に配置されている。そして、断熱部が一対のパネル部材同士の継ぎ目を介して止水部から水槽内に延出され、水槽内の角部に配置されて水槽内の水を継ぎ目から離間させている。
【０００９】
上記構成によれば、断熱部によって水槽内の水が継ぎ目から離間されているので、継ぎ目を介しての外部への放熱を抑制することができる。また、水槽内に配置される断熱部と止水部とが一体的に構成されているので、止水と断熱を１部材で行うことができ、部品点数を少なくして組み立てを容易にすることができる。
【００１０】
請求項２に記載する本発明の断熱水槽止水部材は、前記断熱部が、前記一対のパネル部材の各々の内壁に沿った内壁沿部と、該内壁沿部と連続されて前記内壁沿部との間に中空角空間を構成する外周部を含んで構成されていること、を特徴とする。
【００１１】
このように、断熱部を中空の中空角空間を含む構成とすることができる。この場合には、中空角空間には、空気が充填されていてもよいし、断熱機能を有する他の流体や固体が充填されていてもよい。
【００１２】
なお、止水部は、通常、水との接触により変質しない材料で構成されていることから、内壁沿部及び外周部を、止水部と同一の材料で構成することで、中空角空間に充填された断熱用の材料の水槽内への流出を防止することができると共に、簡易に水槽内の水への影響を防止することができる。
【００１３】
請求項３に記載する本発明の断熱水槽止水部材は、前記断熱部が、前記角部を占める中実部材で一体的に構成されていること、を特徴とする。
【００１４】
このように、断熱部を角部を占める中実部材で一体的に構成することにより、断熱水槽止水部材を簡易に構成することができる。
【００１５】
請求項４に記載の断熱水槽は、請求項１〜３のいずれか１項に記載の断熱水槽止水部材により角部が止水されたものである。
【００１６】
前述の断熱水槽止水部材で角部を止水することにより、断熱機能を向上させることができると共に、簡易に断熱水槽を組み立てることができる。
【００１７】
請求項５に記載の断熱水槽止水構造は、互いの面が角度を持つように配置され、互いのパネル角辺部が突き合わせられて水槽の角部を構成する一対のパネル部材と、前記水槽の外側で前記一対のパネルの角辺部に沿って配置され、前記一対のパネル同士の間の継ぎ目を覆う角部補強部材と、前記継ぎ目を跨ぐように配置されて前記角部補強部材と前記一対のパネルの間に挟持された止水部と、前記止水部と一体的に構成され、前記水槽内に延出されて水槽内の角部を占めて前記継ぎ目から前記水槽内の水を離間させる断熱部と、を有する止水部材と、を備えている。
【００１８】
上記構成の断熱水槽止水構造によれば、断熱水槽の角部の止水と断熱を一部材で行うことができる。
【発明の効果】
【００１９】
以上説明したように、本発明の断熱水槽止水部材、断熱水槽、及び、断熱水槽止水構造によれば、断熱水槽の角部の断熱を容易に行うことができる。
【図面の簡単な説明】
【００２０】
【図１】本実施形態に係る断熱水槽の斜視図である。
【図２】本実施形態に係る断熱水槽を構成する側面パネル部材を示す斜視図である。
【図３】本実施形態に係る断熱水槽の角部の接合構造を説明する斜視図である。
【図４】本実施形態に係る断熱水槽の角部の断面図である。
【図５】本実施形態に係る断熱止水部材の変形例を示す断面図である。
【図６】本実施形態に係る断熱止水部材の他の変形例を示す断面図である。
【発明を実施するための形態】
【００２１】
本発明に係る断熱水槽、断熱水槽構造、及び、断熱水槽止水部材について、図面に基づき説明する。
【００２２】
図１に示されるように、本実施形態の断熱水槽１０は、屋外に配置されて温水の貯水に用いられるものであって、水槽を支持する基礎台１２上に設置されている。断熱水槽１０は、天井部１４、側面部１６、及び、底面部１５（図３参照）を有し、各々が複数のパネル部材を組み付けて構成され、内部に貯水空間Ｒが構成されている。貯水空間Ｒには、常温よりも高い温度の温水が貯留される。
【００２３】
断熱水槽１０の側面部１６は、複数の側面パネル部材２０を接合して構成されている。側面パネル部材２０は、図２に示されるように、四角形板状とされた板面部２２、及び、板面部２２の４端辺に形成されたフランジ部２４を有している。フランジ部２４は、板面部２２から略垂直に屈曲され、側面パネル部材２０の剛性を確保すると共に、隣り合うパネル部材との接合面を構成している。フランジ部２４は、断熱水槽１０の外側に突出するように配置される。フランジ部２４には、ポルト締結用の接合穴２４Ｈが複数構成されている。
【００２４】
図４に示されるように、断熱水槽１０の角部１８は、一対の側面パネル部材２０の互いのパネル角辺部２０Ａが突き合わせられて継ぎ目Ｍが構成されている。一対の側面パネル部材２０の板面部２２の間の角度は略直角に構成されている。また、角部１８には、断熱水槽止水部材３０、及び、角部補強部材３８が配置されている。
【００２５】
図３にも示されるように、断熱水槽止水部材３０は、止水部３２及び断熱部３４を備えている。図４に示されるように、止水部３２は、断面がＬ字板状とされ、屈曲部分を挟んでＬ字の一方側である第１シール面部３２Ａと他方側である第２シール面部３２Ｂを有している。第１シール面部３２は一方の側面パネル部材２０のフランジ部２４の外面に沿って配置され、第２シール面部３２Ｂは他方の側面パネル部材２０のフランジ部２４の外面に沿って配置されている。第１シール面部３２Ａ及び第２シール面部３２Ｂは、フランジ部２４の接合穴２４Ｈに対応する位置に、接合穴３２Ｈが構成されている。
【００２６】
断熱部３４は、止水部３２と一体的に形成されており、止水部３２のＬ字の屈曲部分を挟んで止水部３２と逆側に配置されている。断熱部３４は、第１シール面部３２Ａから延出して形成されている第１内壁沿部３４Ａと、第２シール面部３２Ｂから延出して形成されている第２内壁沿部３４Ｂ、及び、第１内壁沿部３４Ａと第２面部３２Ｂを連結する外周部３２Ｃを有している。第１内壁沿部３４Ａ、第２内壁沿部３４Ｂ、及び、外周部３４Ｃに囲まれた内側には、中空角空間３４Ｒが構成されている。第１内壁沿部３４Ａの延出長さＤ１、及び、第２内壁沿部３４Ｂの延出長さＤ２は、５ｍｍ〜２０ｍｍの範囲にすることが好ましい。Ｄ１及びＤ２は、５ｍｍよりも短い場合には断熱効果が小さく、２０ｍｍを超えると、貯水空間Ｒ内の容積が小さくなる影響があるためである。
【００２７】
断熱水槽止水部材３０は、合成ゴム（ＳＥＢＳ）、合成ゴム発泡体（ＥＰＤＭ）、樹脂発泡体（ＰＶＣ）などの止水に用いられる材料を用いて一体的に構成することができる。断熱水槽止水部材３０としては、貯水空間Ｒ内の温水と接しても変質しにくい材料が用いられている。
【００２８】
角部補強部材３８は、等辺山型鋼材で構成されており、互いに直交する第１面部３８Ａと第２面部３８Ｂを有している。角部補強部材３８の第１面部３８Ａ及び第２面部３８Ｂには、フランジ部２４の接合穴２４Ｈに対応する位置に、接合穴３８Ｈが構成されている。第１面部３８Ａは、一方の側面パネル部材２０のフランジ部２４と対向配置され、第２面部３８Ｂは、他方の側面パネル部材２０のフランジ部２４と対向配置されている。
【００２９】
断熱水槽止水部材３０は、角部１８において、止水部３２が一対の側面パネル部材２０の互いのパネル角辺部２０Ａ同士の間の継ぎ目Ｍを跨ぐように貯水空間Ｒの外側に配置され、断熱部３４が貯水空間Ｒ内において、継ぎ目Ｍを含む角部空間を埋めるように配置されている。断熱部３４により、貯水空間Ｒ内の温水は、継ぎ目Ｍから離間される。
【００３０】
角部補強部材３８とフランジ部２４とは、ボルト３６Ａ、ナット３６Ｂにより締結されている。ボルト３６Ａは、側面パネル部材２０側から接合孔２４Ｈ、３２Ｈ、３８Ｈに挿通され、角部補強部材３８側でナット３６Ｂで締結されている。止水部３２の第１シール面部３２Ａは、角部補強部材３８の第１面部３８Ａと一方のフランジ部２４との間に挟持され、止水部３２の第２シール面部３２Ｂは、角部補強部材３８の第２面部３８Ｂと他方のフランジ部２４との間に挟持されている。
【００３１】
断熱水槽１０の角部１８を構成する側面パネル部材２０を接合する際には、一対の側面パネル部材２０のパネル角辺部２０Ａ同士を突き合わせる。このとき、断熱水槽止水部材３０の断熱部３４を貯水空間Ｒ内に配置し、第１内壁沿部３４Ａを一方の側面パネル部材２０の内壁に当接させ、第２内壁沿部３４Ｂを他方の側面パネル部材２０の内壁に当接させて、止水部３２との境界部分がパネル角辺部２０Ａ間に挟み込まれるようにする。そして、第１シール面部３２Ａ、及び、第２シール面部３２Ｂが、各々の側面パネル部材２０のフランジ部２４に当接されるように止水部３２を配置し、角部補強部材３８を継ぎ目Ｍ及び止水部３２を覆うように配置し、ボルト３６Ａ、ナット３６Ｂで、角部補強部材３８をフランジ部２４へ固定する。これにより、角部１８を構成する一対の側面パネル部材２０同士が接合され、同時に、一対の側面パネル部材２０の間の継ぎ目Ｍが止水部３２により止水され、貯水空間Ｒに貯留された温水からの放熱も断熱部３４により抑制することができる。特に、鋼材である角部補強部材３８を角部１８に配置しているので、断熱部３４を有さない場合には、貯水空間Ｒ内の温水と角部補強部材３８との距離が近く、放熱が起こりやすいが、断熱部３４を設けることにより、効果的に放熱を抑制することができる。
【００３２】
本実施形態によれば、断熱水槽止水部材３０が一部材で形成されているので、止水用の部材と断熱用の部材を別々に組み付ける必要がなく、止水機能と断熱機能を持った角部を容易に構成することができる。
【００３３】
なお、本実施形態では、断熱水槽止水部材３０の断熱部３４に中空（中空角空間３４Ｒ）を構成したが、中空角空間３４Ｒを構成することなく、中実の構成としてもよい。この場合には、図５（Ａ）に示されるように、中空角空間３４Ｒを止水部３２や第１内壁沿部３４Ａ、第２内壁沿部３４Ｂ、及び、外周部３４Ｃと同一の材料で満たして中実部３４Ｓとしてもよいし、図５（Ｂ）に示されるように、中空角空間３４Ｒを別の断熱効果を有する部材、例えば、ウレタンフォームＵなどで満たすようにしてもよい。
【００３４】
また、断熱部３４の断面形状は、図６（Ａ）に示されるように、扇形状としてもよいし、図６（Ｂ）に示されるように、四角形状としてもよい。
【符号の説明】
【００３５】
１０   断熱水槽
１２   基礎台
１４   天井部
１５   底面部
１６   側面部
１８   角部
２０Ａ パネル角辺部
２０   側面パネル部材
３０   断熱水槽止水部材
３２Ｃ 外周部
３２   止水部
３４   断熱部
３４Ａ 第１内壁沿部
３４Ｂ 第２内壁沿部
３４Ｃ 外周部
３８   角部補強部材
Ｒ     貯水空間
【図１】
2012025423.tif 000003
【図２】
2012025423.tif 000004
【図３】
2012025423.tif 000005
【図４】
2012025423.tif 000006
【図５】
2012025423.tif 000007
【図６】
2012025423.tif 000008